(57)【特許請求の範囲】
【請求項１】
無線通信を画像処理装置から受信した場合に、前記無線通信の電波強度が閾値以上であるか否かを判定する判定手段と、
前記無線通信の電波強度が閾値以上であると判定された場合、前記画像処理装置にログインするための情報を送信する送信手段と、を有し、
前記送信手段は、前記画像処理装置へのログイン後に、前記画像処理装置にスキャン処理に関するアプリケーションの起動指示を送信し、前記起動指示の送信後、ユーザーから受け取ったスキャン指示に応じて、前記画像処理装置にスキャン処理の実行指示を送信する携帯端末装置。
【請求項２】
前記スキャン処理に関するアプリケーションの起動指示は、前記画像処理装置へのログイン後で、かつ、前記携帯端末装置の画面がスキャン機能の設定画面に遷移した際に、前記送信手段により送信される請求項１に記載の携帯端末装置。
【請求項３】
前記無線通信の電波強度が閾値以上であると判定された場合、前記画像処理装置の縮小画像を画面に表示する表示手段を更に有する請求項１又は２に記載の携帯端末装置。
【請求項４】
前記表示手段は、前記画像処理装置へのログイン後に、スキャン機能を含む前記画像処理装置が提供する複数の機能のうち、ユーザーの操作に応じて選択された機能の設定画面に画面を遷移させる請求項３に記載の携帯端末装置。
【請求項５】
コンピュータを、
無線通信を画像処理装置から受信した場合に、前記無線通信の電波強度が閾値以上であるか否かを判定する判定手段と、
前記無線通信の電波強度が閾値以上であると判定された場合、前記画像処理装置にログインするための情報を送信する送信手段と、して機能させ、
前記送信手段は、前記画像処理装置へのログイン後に、前記画像処理装置にスキャン処理に関するアプリケーションの起動指示を送信し、前記起動指示の送信後、ユーザーから受け取ったスキャン指示に応じて、前記画像処理装置にスキャン処理の実行指示を送信するプログラム。
【請求項６】
前記スキャン処理に関するアプリケーションの起動指示は、前記画像処理装置へのログイン後で、かつ、前記コンピュータの画面がスキャン機能の設定画面に遷移した際に、送信される請求項５に記載のプログラム。
【請求項７】
前記コンピュータを、
前記無線通信の電波強度が閾値以上であると判定された場合、前記画像処理装置の縮小画像を画面に表示する表示手段として更に機能させるための請求項５又は６に記載のプログラム。
【請求項８】
前記表示手段は、前記画像処理装置へのログイン後に、スキャン機能を含む前記画像処理装置が提供する複数の機能のうち、ユーザーの操作に応じて選択された機能の設定画面に画面を遷移させる請求項７に記載のプログラム。
【請求項９】
携帯端末装置が実行する情報処理方法であって、
無線通信を画像処理装置から受信した場合に、前記無線通信の電波強度が閾値以上であるか否かを判定する判定工程と、
前記無線通信の電波強度が閾値以上であると判定された場合、前記画像処理装置にログインするための情報を送信する第１の送信工程と、
前記画像処理装置へのログイン後に、前記画像処理装置にスキャン処理に関するアプリケーションの起動指示を送信し、前記起動指示の送信後、ユーザーから受け取ったスキャン指示に応じて、前記画像処理装置にスキャン処理の実行指示を送信する第２の送信工程と、
を含む情報処理方法。
【発明の詳細な説明】
【技術分野】
【０００１】
本発明は、携帯端末装置、プログラム、情報処理方法に関する。
【背景技術】
【０００２】
近年、情報処理装置は近距離無線通信を利用したサービスを提供している。
近距離無線通信機能を搭載したＯＡ機器や家電機器等では、ＢＬＥ（Ｂｌｕｅｔｏｏｔｈ（登録商標）  Ｌｏｗ  Ｅｎｅｒｇｙ）を利用し、電波強度等からおおよその距離を判断することができる。
また、携帯端末装置のアプリケーションから画像処理装置を操作し、スキャン等の指示行えるアプリケーションもある。特許文献１には、画像処理装置が近くにいた場合、ログインを行い、スキャンを可能にする携帯端末装置のアプリケーションが開示されている。
【先行技術文献】
【特許文献】
【０００３】
【特許文献１】特開２０１３−１８３２１５号公報
【発明の概要】
【発明が解決しようとする課題】
【０００４】
しかし、従来の技術では、ユーザーは、携帯端末装置を操作し、携帯端末装置のアプリケーションを起動させると共に、画像処理装置を操作し、スキャナ等の画像処理装置のアプリケーションも起動させなければならず、操作が煩雑な問題があった。
本発明は、携帯端末装置を操作するだけで近傍の画像処理装置へのログインと画像処理装置のアプリケーションの起動とを可能にする技術を提供することを目的とする。
【課題を解決するための手段】
【０００５】
そこで、本発明の携帯端末装置は、無線通信を画像処理装置から受信した場合に、前記無線通信の電波強度が閾値以上であるか否かを判定する判定手段と、前記無線通信の電波強度が閾値以上であると判定された場合、前記画像処理装置にログインするための情報を送信する送信手段と、を有し、前記送信手段は、前記画像処理装置へのログイン後に、前記画像処理装置にスキャン処理に関するアプリケーションの起動指示を送信し、前記起動指示の送信後、ユーザーから受け取ったスキャン指示に応じて、前記画像処理装置にスキャン処理の実行指示を送信する。
【発明の効果】
【０００６】
本発明によれば、携帯端末装置を操作するだけで近傍の画像処理装置へのログインと画像処理装置のアプリケーションの起動とを可能にする技術を提供することができる。
【図面の簡単な説明】
【０００７】
【図１】通信システムのシステム構成の一例を示す図である。
【図２】携帯端末のハードウェア構成の一例を示す図である。
【図３】携帯端末のソフトウェア構成の一例を示す図である。
【図４】ＭＦＰのハードウェア構成の一例を示す図である。
【図５】ＭＦＰのソフトウェア構成の一例を示す図である。
【図６】ＭＦＰが備えるＢｌｕｅｔｏｏｔｈサービスの一例を示す図である。
【図７】携帯端末の情報処理の一例を示すフローチャートである。
【図８】ＭＦＰアプリケーションの画面の一例を示す図である。
【図９】デバイスが選択された画面の一例を示す図である。
【図１０】スキャン設定画面の一例を示す図である。
【図１１】ＭＦＰの情報処理の一例を示すフローチャートである。
【図１２】ログイン用の画面の一例を示す図である。
【図１３】メニュー画面の一例を示す図である。
【図１４】携帯端末側からの操作を促す画面の一例を示す図である。
【発明を実施するための形態】
【０００８】
以下、本発明の実施形態について図面に基づいて説明する。
【０００９】
＜実施形態１＞
図１を用いて、通信システムのシステム構成を説明する。本実施形態に係る通信システムは、携帯端末１００、ＭＦＰ１１０、Ｂｌｕｅｔｏｏｔｈ１１１で構成される。ＭＦＰ１１０は、ソフトウェア的にアクセスポイントとして動作し、携帯端末１００との間で無線通信ＬＡＮ等の無線通信を実行する。
携帯端末１００は、無線通信ＬＡＮ等の無線通信を実行可能である。携帯端末１００はＢｌｕｅｔｏｏｔｈ１１１から発信されるビーコンを受信すると、電波強度から所定範囲内にいるかどうか（即ち、近傍にいるかどうか）を判断し、近傍にいる場合は、ＢＬＥでユーザー情報をＭＦＰ１１０送信する。ＭＦＰ１１０は、ユーザー情報を認証し、ユーザーログイン処理を実行し、更にアクセスポイント機能を有効にする。携帯端末１００は、無線ＬＡＮを有効にすることで、ＭＦＰ１１０と接続する。ユーザー操作に応じて画面をスキャン画面に遷移させると、携帯端末１００からＭＦＰ１１０に画面情報を送信する。ＭＦＰ１１０は、画面情報に応じて、ＨＤＤに記憶されているアプリケーションを起動する。更に、携帯端末１００は、無線通信ＬＡＮを介してＭＦＰ１１０にスキャンジョブを送信し、スキャンを指示する。スキャンジョブを受信したＭＦＰ１１０は、スキャンを実行し、携帯端末にスキャンデータを送信する。
携帯端末１００は、携帯端末装置の一例である。ＭＦＰ１１０は、画像処理装置の一例である。
【００１０】
次に図２を用いて、携帯端末１００のハードウェア構成を説明する。なお、本実施形態の携帯端末１００はスマートフォンやタブレットＰＣ等の装置を想定しているが、無線通信を実行可能な情報処理装置であれば他の装置であってもよい。
ＣＰＵ２０１は、ＲＯＭ２０２やＨＤＤ２０４等に記憶されているプログラムを読み出して、プログラムに基づき処理を実行することにより、後述する携帯端末１００のソフトウェア構成や携帯端末１００のフローチャートの処理が実現される。ＲＯＭ２０２は、プログラム等を記憶している。ＲＡＭ２０３は、ＣＰＵ２０１の主メモリ、ワークエリア等の一時記憶領域として用いられる。ＨＤＤ２０４は、写真や電子文書等の様々なデータを記憶する。また、後述するＯＳ（Ｏｐｅｒａｔｉｎｇ  Ｓｙｓｔｅｍ）３１１やＭＦＰアプリケーション３００のプログラムもＨＤＤ２０４に記憶されている。ＲＴＣ（Ｒｅａｌ  Ｔｉｍｅ  Ｃｌｏｃｋ）２０５は、時間を計時する。
なお、１つのＣＰＵ２０１がプログラムに基づき処理を実行することにより後述する携帯端末１００のフローチャートに示す各処理を実行するものとするが、他の態様であってもよい。例えば、複数のＣＰＵがプログラムに基づき処理を実行することにより協働して後述する携帯端末１００のフローチャートに示す各処理を実行するようにすることもできる。
【００１１】
操作パネル２０６は、ユーザーのタッチ操作を検出可能なタッチパネル機能を備え、ＯＳ３１１やＭＦＰアプリケーション３００が提供する各種画面を表示する。ユーザーは操作パネル２０６にタッチ操作を入力することで、携帯端末１００に所望の操作指示を入力することができる。
スピーカー２０７とマイク２０８とは、ユーザーが他の携帯端末や固定電話と電話をする際に使用される。カメラ２０９はユーザーの撮像指示に応じて撮像する。カメラ２０９によって撮像された写真は、ＨＤＤ２０４の所定の領域に記憶される。
Ｂｌｕｅｔｏｏｔｈ通信部２１０は、Ｂｌｕｅｔｏｏｔｈ規格で無線通信を行うインタフェースである。Ｂｌｕｅｔｏｏｔｈ通信部２１０は、ＢｌｕｅｔｏｏｔｈＩ／Ｆを持つ他の機器と相互に通信する。本実施形態では、携帯端末１００は、Ｂｌｕｅｔｏｏｔｈ規格によりＭＦＰ１１０と相互に通信を行う。なお、Ｂｌｕｅｔｏｏｔｈ通信部２１０が実行する近接無線通信はＢｌｕｅｔｏｏｔｈに限らない。
無線通信部２１１は、無線通信ＬＡＮ等の無線通信を実行する。
【００１２】
次に図３を用いて、携帯端末１００のソフトウェア構成を説明する。
ＯＳ３１１は、携帯端末１００全体の動作を制御する。携帯端末１００には、後述するＭＦＰアプリケーション３００を含め、様々なアプリケーションをインストールすることができる。ＯＳ３１１は、これらのアプリケーションとの間で情報をやり取りし、アプリケーションから受けた指示に従って、操作パネル２０６に表示する画面を変更したり、無線通信部２１１による無線通信を実行したりする。
ＭＦＰアプリケーション３００は、携帯端末１００にインストールされたアプリケーションである。ＭＦＰアプリケーション３００からＭＦＰ１１０に対して印刷やスキャン等の操作を行うことができる。携帯端末１００には、このＭＦＰアプリケーション３００の他に様々なアプリケーションがインストールされているが、説明は省略する。
ＭＦＰアプリケーション３００のソフトウェア構成について更に詳しく説明する。画面制御部３０１は、ＯＳ３１１を介して操作パネル２０６に表示する画面を制御する。画面制御部３０１によって、ＭＦＰアプリケーション画面が操作パネル２０６に表示される。また、画面制御部３０１は、操作パネル２０６を介してユーザーが入力した操作指示を判定する。通信部３０２は、ＯＳ３１１を介してＢｌｕｅｔｏｏｔｈ通信部２１０による近接無線通信や、無線通信部２１１による無線通信を制御する。
近傍判断処理部３０３は、Ｂｌｕｅｔｏｏｔｈ通信部２１０によって受信したビーコンの電波強度情報から携帯端末１００がＭＦＰ１１０の近傍（所定範囲内）にいるかどうかを判断し、近傍にいる場合はユーザー情報をＭＦＰに送信する。
【００１３】
印刷ジョブ生成部３０５は、印刷ジョブを生成する。印刷ジョブ生成部３０５によって生成された印刷ジョブは、無線通信部２１１によってＭＦＰ１１０に送信され、そして印刷が実行される。
記憶部３０６は、様々な情報をＲＡＭ２０３又はＨＤＤ２０４等に一時的に記憶する。
スキャンジョブ制御部３０７は、画面制御部３０１によってスキャン設定画面が表示されると、ＭＦＰ１１０にＬＵＩアプリケーション起動を指示する。スキャンジョブ制御部３０７は、無線通信部２１１によってＭＦＰにスキャン指示を行い、ＭＦＰ１１０から受信した、スキャンデータを表示する。スキャンデータを保存する場合は、記憶部３０６に記憶される。記憶されたスキャンデータは、ドキュメント管理部３０８によって管理される。
ＭＦＰ探索部３０９は、無線通信部２１１を介して、ネットワーク上に探索コマンドを送信し、受信したレスポンスデータから該当するＭＦＰをリストアップする。ＭＦＰ選択部３１０は、探索されたＭＦＰのリストから、操作を行うＭＦＰを選択し、記憶部３０６に記憶する。ＭＦＰ選択部３１０は、過去に選択したＭＦＰのリストも記憶している。計時部３０４は、ＲＴＣ２０５に基づき時間を計時する。
【００１４】
図４は、ＭＦＰ１１０のハードウェア構成の一例を示した図である。
ＭＦＰ１１０は、ＲＯＭ３０３０又は例えばハードディスク等のＨＤ３１１０に記憶されたプログラムを実行するＣＰＵ３０２０を備え、ＣＰＵ３０２０はシステムバス３０１０に接続される各デバイスを総括的に制御する。ＣＰＵ３０２０が、プログラムに基づき処理を実行することにより、後述するＭＦＰ１１０のソフトウェア構成やＭＦＰ１１０のフローチャートの処理が実現される。
ＲＡＭ３０４０は、ＣＰＵ３０２０の主メモリ、ワークエリア等として機能する。外部入力コントローラー（ＰＡＮＥＬＣ）３０６０は、ＭＦＰ１１０に備えられた各種ボタン又はタッチパネル（ＰＡＮＥＬ）３０７０等からの指示入力を制御する。ディスプレイコントローラー（ＤＩＳＰＣ）３０８０は、例えば液晶ディスプレイ等で構成される表示モジュール（ＤＩＳＰＬＡＹ）３０９０の表示を制御する。ディスクコントローラー（ＤＫＣ）３１００は、ＨＤ３１１０を制御する。
ネットワークインタフェースカード（ＮＩＣ）３０５０は、ネットワーク１０を介して、他のネットワーク機器又はファイルサーバ等と双方向にデータをやりとりする。無線通信モジュール（ＷＬＡＮ）３４００は、無線通信を制御する。ＭＦＰ１１０はアクセスポイントとして動作し、無線通信モジュール３４００を介して携帯端末１００と直接、無線通信接続することができる。プリンター（ＰＲＩＮＴＥＲ）３２００は、電子写真方式で実現される紙への印字部である。印字方式は、特に電子写真方式でなくてもよい。
スキャナ（ＳＣＡＮＮＥＲ）３３００は、紙に印字された画像を読み込むための画像読み取り部である。画像読み取り部３３００にはオプションとしてＡＤＦ（オートドキュメントフィーダ）が装着されており、複数枚の原稿を自動的に読み込むことができる。
なお、ＨＤ３１１０は、場合によっては画像の一時記憶場所としても使われることがある。
ＢｌｕｅｔｏｏｔｈＩ／Ｆ（ＢＬＥ）３１２０は、Ｂｌｕｅｔｏｏｔｈ規格で無線通信を行うインタフェースである。ＢｌｕｅｔｏｏｔｈＩ／Ｆ３１２０は、ＢｌｕｅｔｏｏｔｈＩ／Ｆを持つ他の機器と相互に通信する。本実施形態ではＭＦＰ１１０は携帯端末１００とＢｌｕｅｔｏｏｔｈ規格により相互に通信を行う。
【００１５】
図５はＭＦＰ１１０のソフトウェア構成の一例を示す図である。
Ｂｌｕｅｔｏｏｔｈ通信制御部５０１は、ＢｌｕｅｔｏｏｔｈＩ／Ｆ３１２０を制御するデバイスドライバであり、携帯端末１００とのデータ通信を制御する。Ｂｌｕｅｔｏｏｔｈ通信制御部５０１を介して受信したデータは、Ｂｌｕｅｔｏｏｔｈサービス制御部５０２に渡されて処理される。
Ｂｌｕｅｔｏｏｔｈサービス制御部５０２は、ユーザー認証処理部５０３及びログイン処理部５０４、アプリケーション起動処理部５０５の処理開始の命令を実行する。
ユーザー認証処理部５０３は、Ｂｌｕｅｔｏｏｔｈサービス制御部５０２からユーザー情報を受信し、認証処理を実行する。ログイン処理部５０４は、ユーザー認証処理部５０３で認証されたユーザー情報でログイン処理を行う。アプリケーション起動処理部５０５は、Ｂｌｕｅｔｏｏｔｈサービス制御部５０２から画面情報を受信し、例えばスキャンアプリケーション等のアプリケーションを起動し、実行させ、又は終了させる。
ネットワーク制御部５０６は、Ｂｌｕｅｔｏｏｔｈサービス制御部５０２からの指示に従って、アクセスポイント機能を実行する。
【００１６】
図６は、ＭＦＰ１１０が備えるＢｌｕｅｔｏｏｔｈサービスの一例を示す図である。本実施形態のＭＦＰ１１０は、Ｂｌｕｅｔｏｏｈｄｅ接続した携帯端末に対して、ＧＡＴＴプロファイル（Ｇｅｎｅｒｉｃ  Ａｔｔｒｉｂｕｔｅ  Ｐｒｏｆｉｌｅ）で定義した設定情報４００を公開する。設定情報４００で公開されるＧＡＴＴプロファイルの例として、ユーザー情報４１０と画面情報４２０とがある。
まず、ユーザー情報４１０は以下のキャラクタリスティックで構成される。
・ユーザー名４１１
ＭＦＰ１１０へのログインに使用されるユーザー名である。
・パスワード４１２
ＭＦＰ１１０へのログイン時に使用されるパスワードである。
また、画面情報４２０は以下のキャラクタリスティックで構成される。
・画面名４２１
ＭＦＰ１１０に通知する画面名である。
なお、ログインするのみの場合には、画面情報４２０を受け取る必要はない。
・起動情報４２２
ＭＦＰ１１０で画面名４２１に関連するアプリを起動するか、終了するかを示す情報である。
なお、ＧＡＴＴプロファイルは一例であり、設定情報４００には機器を特定するための機種識別子等が含まれる場合もある。
【００１７】
次に、携帯端末１００における情報処理を、図７のフローチャートを用いて説明する。
Ｓ６０１では、ＣＰＵ２０１は、操作パネル２０６等を介したユーザー操作に応じて、ＭＦＰアプリケーションを起動し、操作パネル２０６に図８の画面を表示する。
Ｓ６０２では、ＣＰＵ２０１は、ＢＬＥのビーコンを検知したかどうかを判定し、検知した場合は、Ｓ６０３に進み、そうでない場合はＳ６０２に戻る。
Ｓ６０３では、ＣＰＵ２０１は、受信したビーコンを解析し、電波強度情報が一定の閾値以上であるかどうかを判定する。ビーコンには、少なくとも電波強度情報、デバイス情報が含まれている。ＣＰＵ２０１は、ビーコンに含まれている電波強度情報が示す電波強度が一定の閾値以上の場合に、ＭＦＰが近傍にあると判定できる。
Ｓ６０４では、ＣＰＵ２０１は、受信したビーコンのデバイス情報からデバイスを選択し、操作パネル２０６に図９の画面のように、デバイスが選択された画面を表示する。図９では、選択されたデバイスの縮小画像が画面に表示されている。
Ｓ６０５では、ＣＰＵ２０１は、ＢＬＥによるＧＡＴＴ通信のネゴーシエイションを行い、通信を確立する。
Ｓ６０６では、ＣＰＵ２０１は、ユーザー情報をＭＦＰ１１０に送信する。より具体的に説明すると、ＣＰＵ２０１は、ＧＡＴＴ通信を用いて設定情報４００の書き込みを実行する。
【００１８】
Ｓ６０７では、ＣＰＵ２０１は、ＡＴＴ（アトリビュート）のＮｏｔｉｆｉｃａｔｉｏｎを受信し、受信したＮｏｔｉｆｉｃａｔｉｏｎからログインが成功したかどうかを判定する。ＣＰＵ２０１は、成功した場合は、Ｓ６０８に進み、そうでない場合は、図７のフローチャートの処理を終了する。
Ｓ６０８では、ＣＰＵ２０１は、無線通信をオンに切り替え、アクセスポイントが有効となっているＭＦＰと接続を行う。ＣＰＵ２０１は、以前に接続したことがあるＭＦＰであれば、ＰＡＳＳＫｅｙを入力することなくＭＦＰと接続を行う。
Ｓ６０９では、ユーザーがスキャン機能を選択すると、ＣＰＵ２０１は、図１０のスキャン設定画面に画面を遷移させる。
Ｓ６１０では、ＣＰＵ２０１は、画面名４２１に「スキャン画面」を設定し、設定情報４００の書き込みを実行することにより、スキャンに関するアプリケーションの起動をＭＦＰ１１０に指示する。
Ｓ６１１では、ＣＰＵ２０１は、スキャン設定画面において、スキャン実行ボタンが押下されたか否かに応じて、スキャンを実行するか否かを判定する。ＣＰＵ２０１は、スキャン実行ボタンが押下され、スキャンを実行すると判定すると、Ｓ６１２に進み、そうでない場合は、Ｓ６１１の処理を繰り返す。
【００１９】
Ｓ６１２では、ＣＰＵ２０１は、無線通信を介して、スキャン実行をＭＦＰ１１０に指示する。
Ｓ６１３では、ＣＰＵ２０１は、ＭＦＰ１１０からスキャンデータを受信し、スキャンデータをプレビューし、Ｓ６１４に進む。
Ｓ６１４では、ＣＰＵ２０１は、起動情報４２２に終了を設定し、設定情報４００の書き込みを実行し、ＧＡＴＴ通信切断処理を行う。
そして、ＣＰＵ２０１は、図７に示すフローチャートの処理を終了する。
本実施形態では、ＣＰＵ２０１は、Ｓ６０６のログイン処理と、Ｓ６１０のスキャン指示と、を別々のステップで実行するよう説明を行った。しかし、ＣＰＵ２０１は、スキャン実行時に一括してＳ６０６の処理とＳ６０１の処理とを実行するようにしてもよい。
【００２０】
次に、ＭＦＰ１１０における情報処理を、図１１のフローチャートを用いて説明する。
ＣＰＵ３０２０は、図１２のようなログイン用の画面をタッチパネル３０７０に表示している。
Ｓ７０１では、ＣＰＵ３０２０は、ＢｌｕｅｔｏｏｔｈのＢｅａｃｏｎとして、アドバタイズパケットの定期送信を開始する。
Ｓ７０２では、ＣＰＵ３０２０は、ＧＡＴＴ通信のネゴーシエイションを行い、通信を確立する。
Ｓ７０３では、ＣＰＵ３０２０は、携帯端末１００からＧＡＴＴ通信を用いて設定情報４００を受信したかどうかを判定し、受信した場合はＳ７０４に進み、そうでない場合はＳ７０３に戻る。
Ｓ７０４では、ＣＰＵ３０２０は、設定情報４００のユーザー情報４１０の認証処理を行い、認証ＯＫであれば、Ｓ７０５に進み、そうでなければ、Ｓ７１３に進む。
Ｓ７０５では、ＣＰＵ３０２０は、ログイン処理を行い、図１３のメニュー画面をタッチパネル３０７０に表示し、Ｓ７０６に進む。
Ｓ７１３では、ＣＰＵ３０２０は、認証ＮＧを携帯端末に通知し、Ｓ７０２に戻る。
Ｓ７０６では、ＣＰＵ３０２０は、無線通信を開始し、Ｓ７０７に進む。
【００２１】
Ｓ７０７では、ＣＰＵ３０２０は、ＧＡＴＴ通信を用いて設定情報４００を受信したかどうかを判定し、画面名４２１がスキャンであれば、Ｓ７０８に進み、そうでなければＳ７０７に戻る。
Ｓ７０８では、ＣＰＵ３０２０は、スキャンアプリケーションを起動し、図１４の画面をタッチパネル３０７０に表示し、スキャン実行コマンド待ち受け状態となる。
Ｓ７０９では、ＣＰＵ３０２０は、無線通信を介して、スキャン指示を受け取ったかどうかを判定し、受け取った場合はＳ７１０に進み、そうでない場合は、Ｓ７０９に戻る。
Ｓ７１０では、ＣＰＵ３０２０は、スキャンを実行し、スキャンデータを、無線通信を介して携帯端末１００に送信する。
Ｓ７１１では、ＣＰＵ３０２０は、ＧＡＴＴ通信を用いて設定情報４００を受信したかどうかを判定し、起動情報４２２に終了が設定されている場合、Ｓ７１２に進み、そうでない場合は、Ｓ７１１に戻る。
Ｓ７１２では、ＣＰＵ３０２０は、起動したスキャンアプリケーションを終了させ、更に、ＧＡＴＴ通信の切断とログアウト処理とを行い、図１１に示すフローチャートの処理を終了する。ＣＰＵ３０２０は、スキャン処理終了後、一定時間経過後にスキャンアプリケーションを終了させるようにしてもよい。
本実施形態では、スキャン機能を使用するケースを例に説明したが、ＭＦＰが提供する機能はスキャン機能に限定されない。
【００２２】
（効果）
以上の説明の通り、携帯端末１００がＭＦＰ１１０の近傍にいるだけで、自動的に、デバイスとしてＭＦＰ１１０が選択され、携帯端末１００からＭＦＰ１１０のアプリケーションを起動させることができる。したがって、ユーザーは、ＭＦＰ側を操作することなく、携帯端末装置側の操作だけで簡単にスキャン機能等をスムーズに使用することができる。
【００２３】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２４】
以上、本発明の好ましい実施形態について詳述したが、本発明は係る特定の実施形態に限定されるものではない。
【００２５】
以上、上述した各実施形態によれば、携帯端末１００を操作するだけで所定範囲内のＭＦＰ１１０へのログインとＭＦＰ１１０のアプリケーションの起動とを可能にする技術を提供することができる。
【符号の説明】
【００２６】
１００    携帯端末
１１０    ＭＦＰ
２０１    ＣＰＵ
３０２０  ＣＰＵ
【図１】
0006509051.tif 000002
【図２】
0006509051.tif 000003
【図３】
0006509051.tif 000004
【図４】
0006509051.tif 000005
【図５】
0006509051.tif 000006
【図６】
0006509051.tif 000007
【図７】
0006509051.tif 000008
【図８】
0006509051.tif 000009
【図９】
0006509051.tif 000010
【図１０】
0006509051.tif 000011
【図１１】
0006509051.tif 000012
【図１２】
0006509051.tif 000013
【図１３】
0006509051.tif 000014
【図１４】
0006509051.tif 000015